(57)【特許請求の範囲】
【請求項１】
１又は複数の伝送装置と複数の回線で接続し、それぞれの前記回線を終端させる複数の回線接続手段と、それぞれの前記回線接続手段に対応してレイヤ２で前記回線の信号を終端させるレイヤ２終端手段と、レイヤ３で前記回線の信号を終端させるレイヤ３終端手段と、制御手段とを有し、
前記回線接続手段は、前記回線に含まれるベアラチャネルを前記レイヤ３終端手段に接続させるための通信路と、前記回線に含まれる制御信号を送受信する制御信号チャネルを前記レイヤ２終端手段に接続させるための通信路とを形成し、
前記レイヤ２終端手段は、前記制御信号チャネルを前記レイヤ３終端手段に接続させるための通信路を形成し、
前記制御手段は、それぞれの制御信号と対応する回線情報を管理し、受信した制御信号に対応する回線を特定し、前記レイヤ３終端手段に特定した回線の制御をさせること
を特徴とする交換装置。
【請求項２】
前記制御手段は、複数の前記回線を１つの回線管理単位として、前記回線情報を管理し、前記回線の制御を行うことを特徴とする請求項１に記載の交換装置。
【請求項３】
前記回線管理単位に含まれる回線数には、２以上の最低回線数が設定されていることを特徴とする請求項１又は２に記載の交換装置。
【請求項４】
前記回線情報には、前記回線毎の、前記レイヤ３終端手段から見た場合の通知先に係る情報が含まれていることを特徴とする請求項１〜３のいずれかに記載の交換装置。
【請求項５】
交換装置の制御方法は、１又は複数の伝送装置と複数の回線で接続し、それぞれの前記回線を終端させる複数の回線接続手段と、それぞれの前記回線接続手段に対応してレイヤ２で前記回線の信号を終端させるレイヤ２終端手段と、レイヤ３で前記回線の信号を終端させるレイヤ３終端手段と、制御手段とを有し、
前記回線接続手段は、前記回線に含まれるベアラチャネルを前記レイヤ３終端手段に接続させるための通信路と、前記回線に含まれる制御信号を送受信する制御信号チャネルを前記レイヤ２終端手段に接続させるための通信路とを形成し、
前記レイヤ２終端手段は、前記制御信号チャネルを前記レイヤ３終端手段に接続させるための通信路を形成し、
前記制御手段は、それぞれの制御信号と対応する回線情報を管理し、受信した制御信号に対応する回線を特定し、前記レイヤ３終端手段に特定した回線の制御をさせること
を特徴とする交換装置の制御方法。
【発明の詳細な説明】
【技術分野】
【０００１】
本発明は、交換装置及び交換装置の制御方法に関し、例えば、Ｖ５．２インタフェースを採用した構内交換装置などに、適用することができる。
【背景技術】
【０００２】
構内交換網のインタフェースとしては、例えばＶ５．２インタフェースが知られている。Ｖ５．２インタフェースとしては、ＩＴＵ−Ｔ勧告のＧ．９６４に規定されたものや、同勧告のＧ．９６５に規定されたものがある。
【０００３】
Ｖ５．２インタフェースは、１台の構内交換装置（ＬＥ；Ｌｏｃａｌ  Ｅｘｃｈａｎｇｅ）と、複数台の端末側装置（ＡＮ；Ａｃｃｅｓｓ  Ｎｅｔｗｏｒｋ）を用いて構成されている。構内交換装置と端末側装置とは、遠距離に配置され、伝送路（Ｅ１回線）によって接続される。各端末側装置は、それぞれ、複数台の加入者端末を収容する（特許文献１参照）。ＡＮをＬＥから遠隔に配置することで、単一のＬＥで広範囲の加入者に対して電話サービスを実現することが可能となる。
【０００４】
Ｖ５．２標準において、ＡＮ−ＬＥ間のＥ１回線数は、最低２本から最大１６本まで接続することが可能である。そして、ＬＥは、その１６本のＥ１回線を１つの単位として制御・管理を行う。また、単一のＬＥは、複数のＡＮと接続することが可能である。
【０００５】
ＡＮ−ＬＥ間の制御は、Ｃチャネルと呼ばれる特定のＥ１回線の特定のタイムスロットを用いて制御信号の通信を行うことで実現される。すなわち、Ｖ５．２インタフェースは、Ｃチャネル上で通信される制御信号により、最大１６本のＥ１回線を制御する規格であるため、従来のＬＥの機能を有するシステムでは、１６本のＥ１回線の束の単位で制御する形態がとられている。
【０００６】
例えば、従来のＬＥは、Ｅ１回線を接続するためのＥ１回線終端部と、Ｖ５．２標準で規定されているレイヤ２で信号を終端させるＬ２終端部とを接続する構成（すなわち、Ｅ１回線終端部とＬ２終端部の組）を複数有し、さらに、各Ｌ２終端部は、レイヤ３で信号を終端させる単一のＬ３終端部に接続・終端されている。
【先行技術文献】
【特許文献】
【０００７】
【特許文献１】特開２００６−２６１９７２号公報
【発明の概要】
【発明が解決しようとする課題】
【０００８】
ここで、前述のＶ５．２標準に従えば、Ｅ１回線の１６本とは、最大数であるため、例えば、ＡＮ当たり３本のＥ１回線を収容するような構成をとった場合は、１つのＬ２終端部に５台のＡＮを接続することができる。
【０００９】
しかしながら、先述の通り、１６本のＥ１回線単位でＥ１回線終端部とＬ２終端部とを一つの処理単位として配備するような従来のＬＥの機能配備では、Ｅ１回線の制御は、Ｌ２終端部を経由する機能分担であるため、１６本の管理単位を跨った場合には不都合が生じることになる。すなわち、跨った回線は、そのＬ２終端部では異なるＡＮとの接続であり、制御範囲外となる。言い換えれば、従来のＬＥは、Ｌ２終端部を跨るようなＥ１回線収容の形態をとることができない。
【００１０】
例えば、１つのＡＮに収納されたＥ１回線を複数のＬ２終端部に振り分けて接続することができない。
【００１１】
つまり、ＬＥが、１５本のＥ１回線を収容する場合、残り１つのＥ１回線収容部分は、Ｖ５．２規格上最低２本のＥ１回線が必要のため、使用不可能な回線となっていた。
【００１２】
そのため、伝送装置と交換装置との間の回線を効率的に収容することができる交換装置及び交換装置の制御方法が望まれている。
【課題を解決するための手段】
【００１３】
第１の本発明の交換装置は、１又は複数の伝送装置と複数の回線で接続し、それぞれの前記回線を終端させる複数の回線接続手段と、それぞれの前記回線接続手段に対応してレイヤ２で前記回線の信号を終端させるレイヤ２終端手段と、レイヤ３で前記回線の信号を終端させるレイヤ３終端手段と、制御手段とを有し、（１）前記回線接続手段は、前記回線に含まれるベアラチャネルを前記レイヤ３終端手段に接続させるための通信路と、前記回線に含まれる制御信号を送受信する制御信号チャネルを前記レイヤ２終端手段に接続させるための通信路とを形成し、（２）前記レイヤ２終端手段は、前記制御信号チャネルを前記レイヤ３終端手段に接続させるための通信路を形成し、（３）前記制御手段は、それぞれの制御信号と対応する回線情報を管理し、受信した制御信号に対応する回線を特定し、前記レイヤ３終端手段に特定した回線の制御をさせることを特徴とする。
【００１４】
第２の本発明の交換装置の制御方法は、１又は複数の伝送装置と複数の回線で接続し、それぞれの前記回線を終端させる複数の回線接続手段と、それぞれの前記回線接続手段に対応してレイヤ２で前記回線の信号を終端させるレイヤ２終端手段と、レイヤ３で前記回線の信号を終端させるレイヤ３終端手段と、制御手段とを有し、（１）前記回線接続手段は、前記回線に含まれるベアラチャネルを前記レイヤ３終端手段に接続させるための通信路と、前記回線に含まれる制御信号を送受信する制御信号チャネルを前記レイヤ２終端手段に接続させるための通信路とを形成し、（２）前記レイヤ２終端手段は、前記制御信号チャネルを前記レイヤ３終端手段に接続させるための通信路を形成し、（３）前記制御手段は、それぞれの制御信号と対応する回線情報を管理し、受信した制御信号に対応する回線を特定し、前記レイヤ３終端手段に特定した回線の制御をさせることを特徴とする。
【発明の効果】
【００１５】
本発明によれば、伝送装置と交換装置との間の回線を効率的に収容することができる。
【図面の簡単な説明】
【００１６】
【図１】第１の実施形態に係るローカルエクスチェンジの機能的構成、及びその周辺の接続構成について示したブロック図である。
【図２】第１の実施形態に係るＡＮ毎に、Ｖ５リンク番号とＥ１回線番号との対応付けを示した説明図である。
【図３】第１の実施形態に係るＥ１回線の情報を示した説明図である。
【図４】第１の実施形態に係る制御信号によりＥ１回線を制御する例（Ｅ１回線の束がＬ２終端部を跨る例）を示したシーケンス図である
【図５】第１の実施形態に係る制御信号によりＥ１回線を制御する例（Ｅ１回線の束がＬ２終端部を跨らない例）を示したシーケンス図である。
【図６】第１の実施形態に係る制御信号のやり取り以外にＥ１回線を直接制御する例を示したシーケンス図である。
【図７】第２の実施形態に係るローカルエクスチェンジの機能的構成、及びその周辺の接続構成について示したブロック図である。
【発明を実施するための形態】
【００１７】
（Ａ）第１の実施形態
以下、本発明による交換装置及び交換装置の制御方法の第１の実施形態を、図面を参照しながら説明する。
【００１８】
（Ａ−１）第１の実施形態の構成
図１は、第１の実施形態に係るローカルエクスチェンジ（以下、「ＬＥ」とも呼ぶ）１の機能的構成、及びその周辺の接続構成について示したブロック図である。
【００１９】
図１において、ＬＥ１は、Ｌ３終端部１０、システム管理部２０、２つのＬ２終端部３０（３０−１〜３０−２）及び２つのＥ１終端部４０（４０−１〜４０−２）を有する。なお、ＬＥ１に配置されるＥ１終端部４０及びＬ２終端部３０の数は限定されないものである。ただし、１つのＥ１終端部４０には１つのＬ２終端部３０が組として配置されているものとする。すなわち、ＬＥ１においては、配置されるＥ１終端部４０の数は、Ｌ２終端部３０と同数であるものとして説明する。ＬＥ１のＬ３終端部１０は、上位側のネットワークＮと接続されるものとする。このネットワークＮの通信方式については限定されないものであるが、例えば、ＩＰ通信網等を適用することができる。ＬＥ１は、３２本のＥ１回線３（３−０〜３−３１）を介して、３台のＡＮ２（２−１〜２−３）と接続されているものとする。ＡＮ２（２−１〜２−３）は、加入者伝送装置であり、複数（各ＡＮ２で接続するＥ１回線で収容可能な数を上限とする任意の台数）の加入者端末４を収容（接続）するものである。なお、ＬＥ１に接続されるＡＮ２の数及びＥ１回線３の数は上記例に限定されないものである。ここでは、ＡＮ２−１には、１０本のＥ１回線３−０〜３−９が接続されているものとする。また、ＡＮ２−２には、１０本のＥ１回線３−１０〜３−１０が接続されているものとする。また、ＡＮ２−３には、１２本のＥ１回線３−２０〜３−３１が接続されているものとする。
【００２０】
なお、各Ｅ１回線に対して、Ｅ１終端部４０のレイヤで識別するための識別子としてＥ１回線番号が付与されているものとする。また、各Ｅ１回線に対して、Ｖ５．２インタフェース（プロトコル）上の識別子としてＶ５リンク番号が付与されているものとする。以下では、Ｅ１回線３−０〜３−３１に、Ｅ１回線番号として０〜３１が付与されているものとする。また、以下では、Ｅ１回線３−０〜３−３１に、それぞれ０〜３１のＶ５リンク番号が付与されているものとする。ここでは、説明を簡易とするために各Ｅ１回線に付与するＥ１回線番号とＶ５リンク番号は一致する番号としているが、実際には異なる番号としてもよい。なお、Ｅ１回線番号とＶ５リンク番号の対応づけに関してはＬＥ１で管理されることになるが、詳細については後述する。
【００２１】
ＬＥ１は、ＡＮ２から見てＶ５．２インタフェースにより接続可能な交換装置である。
【００２２】
ＬＥ１は、Ｖ５．２インタフェースに従い、複数のＥ１回線を一つの単位（以下、「Ｅ１回線管理単位」と呼ぶ）として制御処理することになる。ただし、回線管理単位は、Ｖ５．２インタフェースの仕様上、最低２本から最大１６本のＥ１回線を含む構成としなければならない。この実施形態では、１つのＡＮ２に１つのＥ１回線管理単位のＥ１回線が接続されているものとして説明する。
【００２３】
Ｖ５．２インタフェース上のＥ１回線管理単位を構成するＥ１回線には、大別してＣチャネルとベアラチャネルの２つのチャネルが存在する。Ｃチャネルは、Ｅ１回線管理単位を構成する複数のＥ１回線を制御するための制御信号を送受信するためのチャネルである。ベアラチャネルは、例えば、ユーザデータ（例えば、加入者端末が送受信する音声のデータ等）を送受信するチャネルである。Ｖ５．２インタフェースの仕様上、１つのＥ１回線には、ベアラチャネルとＣチャネルを混在させることが可能である。そして、Ｖ５．２インタフェースの仕様上、１つのＥ１回線管理単位には、最低２つのＥ１回線にＣチャネルを形成する必要がある。
【００２４】
Ｌ３終端部１０は、Ｖ５．２インタフェース上のレイヤ３でＥ１回線を終端（すなわち、Ｅ１回線管理単位ごとに終端）し、Ｅ１回線管理単位で通信制御を行うものである。
【００２５】
Ｌ３終端部１０は、信号処理部１１及び終端部１２を有する。
【００２６】
信号処理部１１は、Ｌ３終端部１０で終端されたＥ１回線と所定のプロトコルで制御されたネットワークＮとの交換処理を行うものである。例えば、信号処理部１１は、ネットワークＮ上で呼制御を処理するプロトコルとして、ＳＩＰ（Ｓｅｓｓｉｏｎ  Ｉｎｉｔｉａｔｉｏｎ  Ｐｒｏｔｏｃｏｌ）を採用するようにしてもよい。また、信号処理部１１は、ネットワークＮ上でメディア通信を行うプロトコルとして、ＲＴＰ／ＲＴＣＰ（Ｒｅａｌ-ｔｉｍｅ  Ｔｒａｎｓｐｏｒｔ  Ｐｒｏｔｏｃｏｌ／ＲＴＰ  Ｃｏｎｔｒｏｌ  Ｐｒｏｔｏｃｏｌ）を採用するようにしてもよい。この実施形態では、呼制御の処理とメディア通信の処理を実行する装置（部）については、単一の信号処理部１１で構成されているが、各処理について、別々の装置により構成してもよい。
【００２７】
終端部１２は、Ｖ５．２プロトコルベースでＥ１回線の終端（すなわち、Ｅ１回線管理単位ごとに終端）を行い、終端したそれぞれのＥ１回線に対して回線制御を行うものである。
【００２８】
システム管理部２０は、Ｅ１回線管理単位ごとのＥ１回線の接続構成に係る情報を管理し、管理している情報に基づいて、終端部１２等を制御する機能を担っている。この実施形態において、各Ｅ１回線管理単位では、複数のＥ１終端部４０及びＬ２終端部３０をまたがって接続される構成となる場合もありえるものとする。そのため、システム管理部２０は、Ｅ１回線管理単位ごとのＥ１回線の接続構成に係る情報を管理し、その情報に基づいて、終端部１２を制御するものとする。これにより、終端部１２がＥ１回線管理単位ごとのＥ１回線制御（すなわち、Ｖ５．２プロトコルベースでのＥ１回線制御）を行うことが可能となる。
【００２９】
そして、この実施形態のシステム管理部２０は、各Ｅ１回線管理単位のＥ１回線の接続構成に係る情報として、ＡＮ接続情報管理テーブルＴ１及びＥ１回線管理テーブルＴ２を記憶・管理している。ＡＮ接続情報管理テーブルＴ１及びＥ１回線管理テーブルＴ２の詳細構成については後述する。
【００３０】
次に、Ｅ１終端部４０−１、４０−２の内部構成について説明する。
【００３１】
Ｅ１終端部４０−１、４０−２は、それぞれＡＮ側インタフェース４１−１、４１−２、Ｌ２側インタフェース４２−１、４２−２及びＬ３側インタフェース４３−１、４３−２を有する。
【００３２】
ＡＮ側インタフェース４１−１は、ＡＮ２−１、ＡＮ２−２と通信するインタフェースである。この実施形態では、ＡＮ側インタフェース４１−１、４１−２は、それぞれ、１つのＥ１回線を接続するインタフェースＩＦを１６個備えているものとする。以下では、ＡＮ側インタフェース４１−１が備える１６個のインタフェースＩＦをＩＦ０〜ＩＦ１５と呼ぶものとする。また、ＡＮ側インタフェース４１−２が備える１６個のインタフェースＩＦをＩＦ１６〜ＩＦ３１と呼ぶものとする。そして、ここでは、ＡＮ側インタフェース４１−１のインタフェースＩＦ０〜ＩＦ１５に対して、それぞれＥ１回線３−０〜３−１５（Ｅ１回線番号０〜１５のＥ１回線）が接続されているものとする。また、ＡＮ側インタフェース４１−２のインタフェースＩＦ１６〜ＩＦ３１に対して、それぞれＥ１回線３−１６〜３−３１（Ｅ１回線番号１６〜３１のＥ１回線）が接続されているものとする。
【００３３】
Ｌ２側インタフェース４２−１、４２−２は、それぞれ、Ｌ２終端部３０−１、３０−２と接続するためのインタフェースである。また、Ｌ３側インタフェース４３−１、４２−２は、それぞれ、Ｌ３終端部１０と接続するためのインタフェースである。
【００３４】
Ｅ１終端部４０−１、４０−２は、接続するＥ１回線３に含まれるＣチャネルの信号（制御信号）については、Ｌ２側インタフェース４２−１、４２−２を介して、Ｌ２終端部３０−１、３０−２に接続させる通信路を形成する。また、Ｅ１終端部４０−１、４０−２は、Ｅ１回線３の通信に含まれるベアラチャネル（当該ベアラチャネルの回線制御に関する信号を含む）については、Ｌ３側インタフェース４３−１、４２−２を介し、直接（Ｌ２終端部３０−１、３０−２を経由せずに）Ｌ３終端部１０に接続させる通信路を形成する。したがって、Ｅ１終端部４０−１、４０−２は、各Ｅ１回線の制御(各ベアラチャネルの制御)について、直接Ｌ３終端部１０から制御を受ける構成（Ｌ２終端部３０−１、３０−２を経由せずに制御を受ける構成）となっている。
【００３５】
具体的には、例えば、ＡＮ側インタフェース４１−１は、ＡＮ２−１、２−２側から信号が到来した場合には、当該信号を識別（Ｃチャネルの信号かベアラチャネルの信号かを識別）し、Ｃチャネルの信号の場合にはＬ２側インタフェース４２−１、４２−２へ振り分け、ベアラチャネルの信号についてはＬ３側インタフェース４３−１、４３−２へ振り分けるようにしてもよい。また、例えば、ＡＮ側インタフェース４１−１、４１−２は、到来信号のヘッダや、信号が到来したインタフェースＩＦ等に基づいて、Ｃチャネルの信号かベアラチャネルの信号かを識別するようにしてもよい。
【００３６】
次に、システム管理部２０の詳細構成について説明する。
【００３７】
システム管理部２０は、各Ｅ１回線管理単位のＥ１回線の接続構成に係る情報（以下、「回線情報」とも呼ぶ）として、ＡＮ接続情報管理テーブルＴ１及びＥ１回線管理テーブルＴ２を記憶している。
【００３８】
ＡＮ接続情報管理テーブルＴ１は、図２に示すような構成となっている。
【００３９】
図２に示すように、ＡＮ接続情報管理テーブルＴ１は、ＡＮ２毎に、Ｖ５リンク番号とＥ１回線番号とが対応付けて登録された構成となっている。言い換えると、ＡＮ接続情報管理テーブルＴ１では、ＡＮ２ごとに接続するＥ１回線の識別子（Ｅ１回線番号、及びＶ５リンク番号）が登録されている。
【００４０】
図２に示すＡＮ接続情報管理テーブルＴ１は、「接続先ＡＮ」、「Ｖ５リンク番号」、「Ｅ１回線番号」の項目で構成されている。
【００４１】
「接続先ＡＮ」は、いずれかのＡＮ２の識別子を示している。図２では、ＡＮ２−１、２−２、２−３の識別子を、それぞれ「ＡＮ２−１」、「ＡＮ２−２」、「ＡＮ２−３」と図示しているが、各ＡＮ２の識別子の記述形式は限定されないものである。
【００４２】
「Ｖ５リンク番号」は、Ｖ５．２インタフェースで制御・管理される識別子としてのリンク番号が入力される項目である。「Ｅ１回線番号」は、Ｅ１回線の番号が入力される項目である。この実施形態のＥ１回線番号０〜３１は、Ｅ１終端部４０のＩＦ０〜３１と、Ｅ１回線３−０〜３−３１とに対応するものである。図２において、例えば、接続先ＡＮ２−１は、１０本のＥ１回線（Ｅ１回線番号０〜９、Ｖ５リンク番号０〜９）を収容（接続）していることが読み取れる。ＡＮ接続情報管理テーブルＴ１の内容は、実際の接続構成と対応する内容が登録（例えば、保守運用担当のオペレータ等により登録）されるものとして説明する。
【００４３】
システム管理部２０は、このＡＮ接続情報管理テーブルＴ１を参照することにより、各ＡＮ２に対応するＥ１回線管理単位に所属するＥ１回線（各Ｅ１回線に対応するＥ１回線番号及びＶ５リンク番号）を特定することができる。
【００４４】
図３は、Ｅ１回線管理テーブルＴ２の構成例について示した説明図である。
【００４５】
図３に示すように、Ｅ１回線管理テーブルＴ２は、「Ｅ１回線番号」、「接続先ＡＮ」、「Ｅ１回線種別」及び「通知先機能部」の項目で構成されている。Ｅ１回線管理テーブルＴ２は、各Ｅ１回線（各Ｅ１回線番号）に対応するチャネル（ベアラチャネル及びＣチャネル）の通信路（通信経路）を示す情報を管理している。
【００４６】
「接続先ＡＮ」は、当該Ｅ１回線が接続しているＡＮ２の識別子を示している。「接続先ＡＮ」の内容は、ＡＮ接続情報管理テーブルＴ１と一致した内容となっている必要がある。
【００４７】
「Ｅ１回線種別」は当該Ｅ１回線の種別を示している。「Ｅ１回線種別」が「Ｃチャネル／ベアラチャネル」の場合、当該Ｅ１回線にはＣチャネル及びベアラチャネルが含まれていることを示すものとする。また、「Ｅ１回線種別」が「ベアラチャネル」の場合、当該Ｅ１回線にはＣチャネルが含まれていないこと（すなわち、ベアラチャネルのみ含まれていること）を示すものとする。上述の通り、Ｖ５．２インタフェースの仕様上、１つのＥ１回線管理単位（１つのＡＮ２）に、「Ｅ１回線種別」が「Ｃチャネル／ベアラチャネル」となるＥ１回線が２つ含まれている必要がある。
【００４８】
「通知先機能部」の項目は、各Ｅ１回線の各通信チャネル（各ベアラチャネル及び各Ｃチャネル）について、Ｌ３終端部１０から見た場合の直接の接続先（通知先）を示す項目である。すなわち、「通知先機能部」の項目は、各Ｅ１回線の各通信チャネルに係るＬＥ１内での通信経路（通信路）を示している。
【００４９】
「Ｅ１回線種別」が「ベアラチャネル」となっているＥ１回線の「通知先機能部」の項目は、Ｅ１終端部４０−１を示す識別子（図３では「Ｅ１終端部４０−１」という文字列）又は、Ｅ１終端部４０−２を示す識別子（図３では「Ｅ１終端部４０−２」という文字列）が登録される。
【００５０】
また、「Ｅ１回線種別」が「Ｃチャネル／ベアラチャネル」となっているＥ１回線の「通知先機能部」の項目は、「Ｃチャネル」の通知先機能部と「ベアラチャネル」の通知先機能部が記述（２つの通知先機能部が併記）される。「ベアラチャネル」の通知先機能部としては、上述と同様に、「Ｅ１終端部４０−１」又は「Ｅ１終端部４０−２」が登録される。また、「Ｃチャネル」の通知先機能部としては、Ｌ２終端部３０−１を示す識別子（図３では「Ｌ２終端部３０−１」という文字列）又は、Ｌ２終端部３０−２を示す識別子（図３では「Ｌ２終端部３０−２」という文字列）が登録される。例えば、Ｅ１回線番号が「０」のＥ１回線については、Ｅ１回線種別が「Ｃチャネル／ベアラチャネル」、通知先機能部が「Ｌ２終端部３０−１／Ｅ１終端部４０−１」となっている。したがって、Ｅ１回線番号が「０」のＥ１回線については、Ｃチャネルの通知先機能部が「Ｌ２終端部３０−１」で、ベアラチャネルの通知先機能部が「Ｅ１終端部４０−１」となっていることを示している。
【００５１】
なお、「Ｅ１回線種別」又は「通知先機能部」に入力される値は、「Ｅ１回線種別」又は「通知先機能部」を識別するものであれば、例えば、図３で示すような文字列でもよいし数字でもよい。
【００５２】
システム管理部２０（終端部１２）は、このＥ１回線管理テーブルＴ２を参照することにより、先述のＡＮ接続情報管理テーブルＴ１により特定したＥ１回線について、詳細な回線情報を得ることができる。特に、システム管理部２０（終端部１２）は、Ｅ１回線（ベアラチャネル）が接続されている「通知先機能部」を知ることができれば、１つのＥ１回線管理単位を複数のＥ１終端部４０に接続させた場合でも、Ｅ１回線の直接制御指示を行うことができる。
【００５３】
以上のように、ＬＥ１は、Ｅ１終端部４０により、ＡＮ２、ＬＥ１間の回線３を終端させる回線接続手段が実現されている。また、交換装置１は、Ｌ２終端部３０により、Ｅ１回線３に含まれる信号をレイヤ２で終端させるレイヤ２終端手段が実現されている。さらに、交換装置１は、終端部１２により、Ｅ１回線３に含まれる信号をレイヤ３で終端させるレイヤ３終端手段が実現されている。またさらに、交換装置１は、システム管理部２０を含むＬ３終端部１０により、制御信号に対応する回線を特定し、その制御を行う制御手段が実現されている。
【００５４】
（Ａ−２）第１の実施形態の動作
次に、以上のような構成を有する第１の実施形態のＬＥ１の動作を、図面を参照しながら説明する。
【００５５】
なお、以下では、ＡＮ接続情報管理テーブルＴ１及びＥ１回線管理テーブルＴ２の内容は、予め図２、図３の内容で登録されているものとして説明する。図４、図５は、ＡＮ２から送出された制御信号（Ｃチャネルを介して送信された制御信号）により、Ｌ３終端部１０がＥ１回線を制御する例について示したシーケンス図である。図４は、１つのＥ１回線管理単位のＥ１回線を、複数のＥ１終端部４０及びＬ２終端部３０に分散して接続させた場合（すなわち、１つのＡＮ２から複数のＥ１終端部４０（Ｌ２終端部３０）に分散して接続させた場合）の動作について示したシーケンス図となっている。一方、図５は、１つのＥ１回線管理単位のＥ１回線を、１つのＥ１終端部４０（Ｌ２終端部３０）に接続させた場合（すなわち、１つのＡＮ２からＥ１終端部４０（Ｌ２終端部３０）に接続させた場合）の動作について示したシーケンス図となっている。
【００５６】
まず、図４のシーケンス図に基づく動作について説明する。
【００５７】
図４では、ＡＮ２−２がＥ１回線３−１０（Ｅ１回線番号：１０）のＣチャネルを用いて、制御信号を送信した場合の動作について示している。この場合、ＡＮ２−２がＥ１回線３−１０（Ｅ１回線番号：１０）のＣチャネルから送信する制御信号は、当該制御信号に対応するＥ１回線管理単位に属するＥ１回線３−１０〜Ｅ１回線３−１９（Ｅ１回線番号１０〜１０）を束ねて制御する制御信号（Ｖ５．２プロトコルに基づく制御信号）であるものとする。
【００５８】
まず、ＡＮ２−２から送出された制御信号は、Ｅ１回線３−１０のＣチャネルを用いて送出されるため、当該制御信号は、Ｅ１終端部４０−１、及びＬ２終端部３０−１を経由して、Ｌ３終端部１０（終端部１２）に到達することになる（Ｓ１０１）。
【００５９】
そして、終端部１２で受信された制御信号は、システム管理部２０へ中継されるものとする（Ｓ１０２）。
【００６０】
次に、システム管理部２０は、受信した制御信号で制御対象となるＥ１回線管理単位に属するＥ１回線（Ｖ５．２プロトコル上で指示された制御対象となるＥ１回線）を特定する（Ｓ１０３）。具体的には、例えば、システム管理部２０は、受信した制御信号から、当該制御信号の送信元のＶ５リンク番号（１０）を抽出して、当該Ｖ５リンク番号をキーとして、ＡＮ接続情報管理テーブルＴ１から接続元のＡＮを特定する（ＡＮ２−２が該当する）。そして、システム管理部２０は、ＡＮ接続情報管理テーブルＴ１から特定したＡＮ２−２をキーとして、制御するＥ１回線を特定する（Ｅ１回線番号１０〜２０のＥ１回線が該当する）。また、システム管理部２０は、Ｅ１回線管理テーブルＴ２から特定した各Ｅ１回線番号をキーとして、通知先機能部の情報を得る（各Ｅ１回線番号について、Ｅ１終端部４０−１又はＥ１終端部４０−２が該当する）。
【００６１】
システム管理部２０は、ステップＳ１０３で特定したＥ１回線を制御する指示をＬ３終端部１０へ行う（Ｓ１０４）。制御するＥ１回線は、Ｅ１回線番号１０〜２０のＥ１回線である。また、このとき、システム管理部２０は、各回線の各チャネル（Ｃチャネル及びベアラチャネル）の通知先機能部の情報もＬ３終端部１０へ与える。これにより、Ｌ３終端部１０は、ステップＳ１０１で受信した制御信号に対応する、制御結果の通知先（通知先のＥ１回線番号及び通知先機能部）も把握することができる。
【００６２】
Ｌ３終端部１０は、システム管理部２０の制御指示に従って制御対象となるＥ１回線の制御を行う（Ｓ１０５）。図４において、Ｅ１回線番号１０〜１５のＥ１回線については、通知先機能部が「Ｅ１終端部４０−１」であるので、このＥ１終端部４０−１を経由して制御されていることが示されている。また、Ｅ１回線番号１６〜１９のＥ１回線については、通知先機能部が「Ｅ１終端部４０−２」であるので、このＥ１終端部４０−２を経由して制御されていることが示されている。
【００６３】
そして、Ｌ３終端部１０は、ステップＳ１０６で行ったＥ１回線制御の制御結果（例えば、制御の成功又は失敗等のメッセージ）を生成し、システム管理部２０の制御に従ったＥ１回線及び通知先機能部（Ｅ１回線３−１０のＣチャネル；通知先機能部はＬ２終端部３０−１）を用いてＡＮ２−２へ送信（返答）する（Ｓ１０６）。
【００６４】
次に、図５のシーケンス図に基づく動作について説明する。
【００６５】
図５では、ＡＮ２−１がＥ１回線３−０（Ｅ１回線番号：０）のＣチャネルを用いて、制御信号を送信した場合の動作について示している。この場合、ＡＮ２−１がＥ１回線３−０（Ｅ１回線番号：０）のＣチャネルから送信する制御信号は、当該制御信号に対応するＥ１回線管理単位に属するＥ１回線３−０〜Ｅ１回線３−９（Ｅ１回線番号０〜９）を束ねて制御する制御信号（Ｖ５．２プロトコルに基づく制御信号）であるものとする。
【００６６】
ＡＮ２−１から送出された制御信号は、Ｅ１回線３−０のＣチャネルを用いて送出されるため、当該制御信号は、Ｅ１終端部４０−１、及びＬ２終端部３０−１を経由して、Ｌ３終端部１０（終端部１２）に到達することになる（Ｓ２０１）。
【００６７】
そして、終端部１２で受信された制御信号は、システム管理部２０へ中継されるものとする（Ｓ２０１）。
【００６８】
次に、システム管理部２０は、受信した制御信号で制御対象となるＥ１回線管理単位に属するＥ１回線（Ｖ５．２プロトコル上で指示された制御対象となるＥ１回線）を特定する（Ｓ２０２）。具体的には、例えば、システム管理部２０は、受信した制御信号から、当該制御信号の送信元のＶ５リンク番号（０）を抽出して、当該Ｖ５リンク番号をキーとして、ＡＮ接続情報管理テーブルＴ１から接続元のＡＮ２を特定する（ＡＮ２−１が該当する）。そして、システム管理部２０は、ＡＮ接続情報管理テーブルＴ１から特定したＡＮ２−１をキーとして、制御するＥ１回線を特定する（Ｅ１回線番号０〜９のＥ１回線が該当する）。また、システム管理部２０は、Ｅ１回線管理テーブルＴ２から特定した各Ｅ１回線番号をキーとして、通知先機能部の情報を得る（全てのＥ１回線番号について、Ｅ１終端部４０−１が該当する）（Ｓ２０３）。
【００６９】
システム管理部２０は、ステップＳ２０３で特定したＥ１回線を制御する指示をＬ３終端部１０へ行う（Ｓ２０４）。制御するＥ１回線は、Ｅ１回線番号０〜９のＥ１回線である。また、このとき、システム管理部２０は、各回線の各チャネル（Ｃチャネル及びベアラチャネル）の通知先機能部の情報もＬ３終端部１０へ与える。これにより、Ｌ３終端部１０は、ステップＳ２０１で受信した制御信号に対応する制御結果の通知先（通知先のＥ１回線番号及び通知先機能部）も把握することができる。
【００７０】
Ｌ３終端部１０は、システム管理部２０の制御指示に従って制御対象となるＥ１回線の制御を行う（Ｓ２０５）。図５において、Ｅ１回線番号０〜９のＥ１回線については、通知先機能部が「Ｅ１終端部４０−１」であるので、このＥ１終端部４０−１を経由して制御されていることが示されている。
【００７１】
そして、Ｌ３終端部１０は、ステップＳ２０５で行ったＥ１回線制御の制御結果（例えば、制御の成功又は失敗等のメッセージ）を生成し、システム管理部２０の制御に従ったＥ１回線及び通知先機能部（Ｅ１回線３−０のＣチャネル；通知先機能部はＬ２終端部３０−１）を用いて上記処理結果に係る制御信号をＣチャネルによりＡＮ２−１へ送信（返答）する（Ｓ２０６）。
【００７２】
図６は、制御信号のやり取り以外に、Ｌ３終端部１０が個別のＥ１回線を制御する例について示したシーケンス図である。
【００７３】
Ｅ１回線を直接制御するイベントが発生した場合には、Ｌ３終端部１０は、システム管理部２０から接続先のＡＮ２について、制御するＥ１回線のデータの取得を要求する（Ｓ３０１）。例えば、Ｌ３終端部１０は、Ｖ５リンク番号を基として、Ｅ１回線のデータの問い合わせを行うものとする。なお、Ｌ３終端部１０は、Ｅ１回線番号に基づいて問い合わせを行う構成としてもよい。
【００７４】
次に、システム管理部２０は、制御対象となるＥ１回線（Ｖ５．２プロトコル上で指示された制御対象となるＥ１回線）を特定する（Ｓ３０２）。例えば、システム管理部２０は、ＡＮ接続情報管理テーブルＴ１から問い合わせのあったＶ５リンク番号をキーとして、対応するＥ１回線のＥ１回線番号を特定する（例えば、Ｖ５リンク番号が１２の場合には、Ｅ１回線番号１２となる）。また、システム管理部２０は、Ｅ１回線管理テーブルＴ２から特定した各Ｅ１回線番号をキーとして、通知先機能部の情報を得る。
【００７５】
システム管理部２０は、取得したＥ１回線のデータをＬ３終端部１０へ返信する（Ｓ３０３）。
【００７６】
Ｌ３終端部１０は、返信されたＥ１回線のデータに従い、該当するＥ１終端部４０を経由して（つまり、Ｌ２終端部３０を経由せずに）Ｅ１回線（ベアラチャネル）の制御指示を行う（Ｓ３０４）。図６において、Ｅ１回線番号１２のＥ１回線については、通知先機能部が「Ｅ１終端部４０−１」であるので、このＥ１終端部４０−１を経由して制御されていることが示されている。
【００７７】
そして、指示を受けたＥ１終端部４０は、指定されたＥ１回線の制御を行い、その処理結果をＬ３終端部１０へ通知する。
【００７８】
以上により、Ｌ３終端部１０は、イベントにより個別のＥ１回線を直接制御することになるが、複数の回線を制御する場合（Ｅ１回線管理単位を含む）には、先述のステップＳ３０１〜ステップＳ３０４の処理を繰り返すことにより行うことができる。
【００７９】
（Ａ−３）第１の実施形態の効果
この実施形態によれば、以下のような効果を奏することができる。
【００８０】
ＬＥ１では、システム管理部２０が、Ｅ１回線の接続情報のデータを管理（この実施形態では、ＡＮ接続情報管理テーブルＴ１とＥ１回線管理テーブルＴ２により管理）し、そのデータに基づいて終端部１２がＥ１回線の制御を行うことにより、Ｌ３終端部１０が直接Ｅ１回線（Ｅ１終端部４０）を制御する構成となっている。つまり、ＬＥ１は、Ｌ２終端部３０を介さずにＥ１回線（ベアラチャネル）の制御を行っている。言い換えれば、ＬＥ１は既存のシステムではＬ２終端部３０の制御範囲外となり制御できないＥ１回線の制御を行う。これにより、ＬＥ１では、１つのＥ１回線管理単位のＥ１回線を複数のＥ１終端部４０（Ｌ２終端部３０）に接続させた場合でも、終端部１２はシステム管理部２０の制御（ＡＮ接続情報管理テーブルＴ１とＥ１回線管理テーブルＴ２）に基づいて、Ｅ１回線の制御を行うことが可能となる。
【００８１】
例えば、従来のＬＥは、ＡＮ２と接続するＥ１終端部４０のＥ１回線が、１つのみ空いていた場合には仕様によりＡＮ２との接続に使用することができず、Ｅ１回線の収容効率が低下していた。しかし、第１の実施形態のＬＥ１では、もう１つ別のＥ１終端部４０があれば、前述の１本のＥ１回線をベアラ回線のみの増設回線として使用することができ、より効率的にＥ１回線を収容することができる。
【００８２】
（Ｂ）第２の実施形態
以下、本発明による交換装置及び交換装置の制御方法の第２の実施形態を、図面を参照しながら説明する。
【００８３】
（Ｂ−１）第２の実施形態の構成
図７は、第２の実施形態に係るＬＥ１の構成を示すブロック図であり、第１の実施形態に係る図１との同一、対応部分には同一、対応符号を付して示している。
【００８４】
図１との相違は、システム管理部２０が、ＬＥ１の内部ではなく、ネットワークＭ（例えば。ＩＰネットワーク）を介して外部に設けられている点が異なる。
【００８５】
（Ｂ−２）第２の実施形態の動作
第２の実施形態の動作は、Ｌ３終端部１０が既存の技術によりネットワークＭを介してシステム管理部２０と通信する以外は、第１の実施形態の動作と同様のため、その説明を省略する。
【００８６】
（Ｂ−３）第２の実施形態の効果
第１の実施形態の効果に加えて、システム管理部２０を外部に配置したことにより、より柔軟なシステムの運用を行うことができる。
【００８７】
（Ｃ）他の実施形態
上記の各実施形態に加えて、さらに、以下に例示するような変形実施形態も挙げることができる。
【００８８】
（Ｃ−１）上記の各実施形態では、本発明を、ＡＮ２から見てＶ５．２インタフェースにより接続可能な交換装置に適用した場合を示したが、これに限定されず、例えば、他のＶ５．２インタフェースに類似するインタフェースにより接続可能な交換装置に適用してもよい。
【００８９】
（Ｃ−２）上記の各実施形態では本発明の交換装置をＶ５．２インタフェースに対応させる例について説明したが、回線接続部（Ｅ１終端部４０）、Ｌ２終端部、及びＬ３終端部で構成される他のインタフェースに適用するようにしてもよい。また、上記の各実施形態では、Ｖ５．２インタフェースに準拠して、各Ｅ１回線管理単位における最低回線数は２回線（Ｃチャネルに最低限必要となる回線数）として説明したが、仕様上又は設計上それ以上の最低回線数を設定するようにしてもよい。
【符号の説明】
【００９０】
１…ＬＥ、２（２−１〜２−３）…ＡＮ、３（３−０〜３−３１）…Ｅ１回線、１０…Ｌ３終端部、１１…信号処理部、１２…終端部、２０…システム管理部、３０、３０−１、３０−２…Ｌ２終端部、４０、４０−１、４０−２…Ｅ１終端部、４１、４１−１、４１−２…ＡＮ側インタフェース、４２、４２−１、４２−２…システムＬ２側インタフェース、４３、４３−１、４３−２…Ｌ３側インタフェース、Ｔ１…ＡＮ接続情報管理テーブル、Ｔ２…Ｅ１回線管理テーブル、Ｎ、Ｍ…ネットワーク。
【図１】
0006428322.tif 000002
【図２】
0006428322.tif 000003
【図３】
0006428322.tif 000004
【図４】
0006428322.tif 000005
【図５】
0006428322.tif 000006
【図６】
0006428322.tif 000007
【図７】
0006428322.tif 000008